(57)【特許請求の範囲】
【請求項１】
デジタルＴＶ放送とアナログＴＶ放送とを受信可能なＴＶ放送受信装置であって、アナログＴＶ放送を受信中に、このアナログＴＶ放送の信号をデジタル変換した信号と同一メインチャンネルのデジタルＴＶ放送の信号との差分をとって比較し前記アナログＴＶ放送と前記デジタルＴＶ放送とが同一の番組を放送しているか否かを判断する比較判断手段と、この比較判断手段によって同一の番組を放送していると判断されたときに、前記アナログＴＶ放送の信号を、番組が同一と判断されたデジタルＴＶ放送の信号に切り換える切り換え手段とを具備したことを特徴とするＴＶ放送受信装置。
【請求項２】
デジタルＴＶ放送とアナログＴＶ放送とを受信可能なＴＶ放送受信装置であって、デジタルＴＶ放送を受信中に、このデジタルＴＶ放送の信号と同一メインチャンネルのアナログＴＶ放送の信号をデジタル変換した信号との差分をとって比較し前記アナログＴＶ放送と前記デジタルＴＶ放送とが同一の番組を放送しているか否かを判断する比較判断手段と、受信中のデジタルＴＶ放送の信号レベルが所定のレベル以下か否かを判断する受信状態判断手段と、この受信状態判断手段で前記所定のレベル以下と判断されたときに、前記デジタルＴＶ放送の信号を、番組が同一と判断されたアナログＴＶ放送の信号に切り換える切り換え手段とを具備したことを特徴とするＴＶ放送受信装置。
【請求項３】
前記所定のレベルは、デジタルＴＶ放送を受像できるかできないかのスレッシュレベルに設定されていることを特徴とする請求項２記載のＴＶ放送受信装置。
【請求項４】
デジタルＴＶ放送とアナログＴＶ放送とを受信可能なＴＶ放送受信装置におけるＴＶ放送受信方法であって、アナログＴＶ放送を受信中に、前記アナログＴＶ放送の信号をデジタル変換した信号と同一メインチャンネルのデジタルＴＶ放送の信号との差分をとって比較し前記アナログＴＶ放送と前記デジタルＴＶ放送とが同一の番組を放送しているか否かを判断し、同一の番組を放送していると判断されたときに、前記アナログＴＶ放送の信号を、番組が同一と判断されたデジタルＴＶ放送の信号に切り換えることを特徴とするＴＶ放送受信方法。
【請求項５】
デジタルＴＶ放送とアナログＴＶ放送とを受信可能なＴＶ放送受信装置におけるＴＶ放送受信方法であって、デジタルＴＶ放送を受信中に、このデジタルＴＶ放送の信号と同一メインチャンネルのアナログＴＶ放送の信号をデジタル変換した信号との差分をとって比較し前記アナログＴＶ放送と前記デジタルＴＶ放送とが同一の番組を放送しているか否かを判断し、更に、受信中のデジタルＴＶ放送の信号レベルが所定のレベル以下か否かを判断し、前記所定のレベル以下と判断されたときに、前記デジタルＴＶ放送の信号を、番組が同一と判断されたアナログＴＶ放送の信号に切り換えることを特徴とするＴＶ放送受信方法。
【請求項６】
前記所定のレベルは、デジタルＴＶ放送を受像できるかできないかのスレッシュレベルに設定されていることを特徴とする請求項５記載のＴＶ放送受信方法。
【発明の詳細な説明】
【０００１】
【発明の属する技術分野】
本発明は、デジタルＴＶ放送とアナログＴＶ放送とを受信可能なセットトップボックスやテレビ等のＴＶ放送受信装置およびＴＶ放送受信方法に関する。このＴＶ放送受信装置には、もちろんビデオ録再装置等も組み込んだ複合装置、ＴＶチューナを内蔵しているビデオ録再装置単体、ＴＶチューナを内蔵しているパソコン等のＴＶ放送を受信可能な装置を含む。
【０００２】
【従来の技術】
現在、デジタルＴＶ放送は普及段階であり、デジタルＴＶ放送をしている放送局は、アナログＴＶ放送とデジタルＴＶ放送とで、同じ時間に同じ番組を放送しているケースが多い。即ち、同一メインチャンネル内において、１つのアナログＴＶ放送用チャンネルと、いくつかのデジタルＴＶ放送用チャンネルのうちの１つのチャンネルとで、同じ時間に同じ番組を放送しているケースが多い。
【０００３】
デジタルＴＶ放送とアナログＴＶ放送とを受信可能な従来のＴＶ放送受信装置では、どちらの放送を受信するかをユーザがリモコン送信機または入力キーで予め指定して使用し、ユーザがリモコン送信機または入力キーで指定変更操作をしない限り、受信中の放送がデジタルＴＶ放送とアナログＴＶ放送との間で切り換わることはなかった。
【０００４】
【発明が解決しようとする課題】
そのため、アナログＴＶ放送とデジタルＴＶ放送とで、同じ時間に同じ番組を例え放送していたとしても、ユーザがそれに気づかないで、アナログＴＶ放送を受信するように指定してしまった場合には、表示品質の高いデジタルＴＶ放送を見ることなく、表示品質の劣るアナログＴＶ放送を視聴し続けることになる。
【０００５】
逆に、デジタルＴＶ放送を指定して視聴している場合には、もし受信中の信号のレベルが所定のレベル以下に下がると、アナログＴＶ放送を受信している場合と異なり、急に映像および音声（以下、「映像等」とも呼ぶ。）が途切れ途切れになったり、全く映像等が得られなくなっていた。デジタルＴＶ放送は、デジタル信号を処理するがゆえにアナログＴＶ放送よりも一般的に表示品位を高くできる反面、受信電力の低下等によって、「１」「０」信号の判別ができなくなると急激に受像出来なくなるという欠点があるからである。したがって、受信状態を考慮すると、デジタルＴＶ放送よりもアナログＴＶ放送の方が表示品位が高い場合もある。
【０００６】
このように、急に映像等が途切れ途切れになったり、全く映像等が得られなくなっても、ユーザが、もし、アナログＴＶ放送でも同じ時間に同じ番組を放送していることを知らなければ、その番組を視聴し損なうか、途切れ途切れにしか視聴できない状態になる。
また、アナログＴＶ放送でも同じ時間に同じ番組を放送していることを知っていたとしても、面倒なチャンネル切り換え操作をする必要がある上に、切り換え完了するまでの間、映像等を視聴できない状態になるという大きな問題があった。
【０００７】
なお、本発明に若干関連する技術としては、特開平４−３６１４号公報と特開平３−５０９７５号公報とに開示されたものがある。ただし、特開平４−３６１４号公報には、衛星放送受信機において音声モード指定による指定放送の自動選局に関するものが開示されているに過ぎない。また、特開平３−５０９７５号公報には、ＨＤＴＶ／ＥＤＴＶ信号を自動的に判別し、ＥＤＴＶ／ＨＤＴＶ信号の信号処理を可能とするＥＤＴＶ／ＨＤＴＶ信号の自動判別回路に関するものが開示されているに過ぎない。
【０００８】
本発明の主たる目的は、デジタルＴＶ放送とアナログＴＶ放送とで同じ時間に同じ番組を放送している場合に、いずれかの放送のうちで、表示品位の高い方の放送を優先的に自動的に受信するＴＶ放送受信装置およびＴＶ放送受信方法を提供することにある。
【０００９】
【課題を解決するための手段】
上記問題を解決するために、本発明の請求項１に係るＴＶ放送受信装置は、デジタルＴＶ放送とアナログＴＶ放送とを受信可能なＴＶ放送受信装置であって、アナログＴＶ放送を受信中に、このアナログＴＶ放送の信号をデジタル変換した信号と同一メインチャンネルのデジタルＴＶ放送の信号との差分をとって比較し前記アナログＴＶ放送と前記デジタルＴＶ放送とが同一の番組を放送しているか否かを判断する比較判断手段と、この比較判断手段によって同一の番組を放送していると判断されたときに、前記アナログＴＶ放送の信号を、番組が同一と判断されたデジタルＴＶ放送の信号に切り換える切り換え手段とを備える。
【００１０】
本発明の請求項２に係るＴＶ放送受信装置は、デジタルＴＶ放送とアナログＴＶ放送とを受信可能なＴＶ放送受信装置であって、デジタルＴＶ放送を受信中に、このデジタルＴＶ放送の信号と同一メインチャンネルのアナログＴＶ放送の信号をデジタル変換した信号との差分をとって比較し前記アナログＴＶ放送と前記デジタルＴＶ放送とが同一の番組を放送しているか否かを判断する比較判断手段と、受信中のデジタルＴＶ放送の信号レベルが所定のレベル以下か否かを判断する受信状態判断手段と、この受信状態判断手段で前記所定のレベル以下と判断されたときに、前記デジタルＴＶ放送の信号を、番組が同一と判断されたアナログＴＶ放送の信号に切り換える切り換え手段とを備える。
【００１１】
本発明の請求項３に係るＴＶ放送受信装置は、前記所定のレベルは、デジタルＴＶ放送を受像できるかできないかのスレッシュレベルに設定されている。
【００１３】
本発明の請求項４に係るＴＶ放送受信方法は、デジタルＴＶ放送とアナログＴＶ放送とを受信可能なＴＶ放送受信装置におけるＴＶ放送受信方法であって、アナログＴＶ放送を受信中に、前記アナログＴＶ放送の信号をデジタル変換した信号と同一メインチャンネルのデジタルＴＶ放送の信号との差分をとって比較し前記アナログＴＶ放送と前記デジタルＴＶ放送とが同一の番組を放送しているか否かを判断し、同一の番組を放送していると判断されたときに、前記アナログＴＶ放送の信号を、番組が同一と判断されたデジタルＴＶ放送の信号に切り換える。
【００１４】
本発明の請求項５に係るＴＶ放送受信方法は、デジタルＴＶ放送とアナログＴＶ放送とを受信可能なＴＶ放送受信装置におけるＴＶ放送受信方法であって、デジタルＴＶ放送を受信中に、このデジタルＴＶ放送の信号と同一メインチャンネルのアナログＴＶ放送の信号をデジタル変換した信号との差分をとって比較し前記アナログＴＶ放送と前記デジタルＴＶ放送とが同一の番組を放送しているか否かを判断し、更に、受信中のデジタルＴＶ放送の信号レベルが所定のレベル以下か否かを判断し、前記所定のレベル以下と判断されたときに、前記デジタルＴＶ放送の信号を、番組が同一と判断されたアナログＴＶ放送の信号に切り換える。
【００１５】
本発明の請求項６に係るＴＶ放送受信方法は、前記所定のレベルは、デジタルＴＶ放送を受像できるかできないかのスレッシュレベルに設定されている。
【００１７】
【発明の実施の形態】
以下、本発明の実施の形態に係るＴＶ放送受信装置を図１〜図３を参照しつつ説明する。
図１は本発明の実施の形態に係るＴＶ放送受信装置を示す概略的ブロック図、図２は本発明の実施の形態に係るＴＶ放送受信装置の概略的動作フローを示す図、図３は本発明の実施の形態に係るＴＶ放送受信装置の別の概略的動作フローを示す図である。
【００１８】
本発明の実施の形態に係るＴＶ放送受信装置１００は、ＡＴＳＣ信号（デジタル信号）をＮＴＳＣ信号（アナログ信号）に変換する機能を有したセットトップボックス、即ち、外部に接続されるＮＴＳＣ信号受信専用テレビでデジタルＴＶ放送を受像可能とするためのものである。
【００１９】
このＴＶ放送受信装置１００は、デジタルＴＶ放送とアナログＴＶ放送とで同じ時間に同じ番組を放送している場合に、そのいずれかの放送のうちで、表示品位の高い方の放送を優先的に自動的に受信することが可能となっていることを特徴とする。
【００２０】
より具体的には、ＴＶ放送受信装置１００は、デジタルＴＶ放送とアナログＴＶ放送とで同じ時間に同じ番組を放送している場合に、ユーザがアナログＴＶ放送を受信するように選択しても、同じ番組のデジタルＴＶ放送を探し出して優先的に自動的に受信切り換えする機能を有している。また、ＴＶ放送受信装置１００は、デジタルＴＶ放送とアナログＴＶ放送とで同じ時間に同じ番組を放送している場合に、デジタルＴＶ放送を受信中に、そのデジタルＴＶ放送の受信状態が受像できなくなるほど悪くなると、事前に探し出した同じ番組のアナログＴＶ放送に優先的に自動的に受信切り換えする機能を有している。
【００２１】
ＴＶ放送受信装置１００は、セットトップボックス本体１０１と、これとともに用いられるリモコン送信機１８５とからなる。
【００２２】
セットトップボックス本体１０１は、チューナ１１０と、Ａ／Ｄコンバータ＆エラー訂正回路１２０と、ＭＰＥＧデコーダ１３０と、セレクタ１４０と、Ｄ／Ａコンバータ１５０と、Ａ／Ｄコンバータ１６０と、マイコン１７０と、メモリ１７５と、リモコン受信部１８０と、入力キー１９０と、表示部１９５と、図示しない電源とを備えている。
【００２３】
チューナ１１０は、アンテナが接続されて、デジタルＴＶ放送とアナログＴＶ放送とを同時に受信可能な一般的なものである。したがって、チューナ１１０は、リモコン送信機１８５または入力キー１９０でのチャンネル指定（即ち、選局）がマイコン１７０経由で指示されると、アンテナで受けた電波のうちから、指定チャンネルの信号を取り出す等の一般的な処理を行って出力する。チューナ１１０のデジタルＴＶ放送の信号出力は、Ａ／Ｄコンバータ＆エラー訂正回路１２０に入力される。また、チューナ１１０のアナログＴＶ放送の信号出力は、Ａ／Ｄコンバータ１６０に入力される。
【００２４】
Ａ／Ｄコンバータ＆エラー訂正回路１２０は、チューナ１１０から出力されたデジタルＴＶ放送の信号をデジタル変換し且つエラー訂正する。
【００２５】
ＭＰＥＧデコーダ１３０は、Ａ／Ｄコンバータ＆エラー訂正回路１２０からの出力信号であるＡＴＳＣ信号（デジタル信号）をＮＴＳＣ信号（ただし、ここではデジタル信号状態である。）にデコード処理する。
【００２６】
セレクタ１４０は、マイコン１７０からの指示によって、ＭＰＥＧデコーダ１３０からの出力信号と、Ａ／Ｄコンバータ１６０からの出力信号との切り換えを行う。
【００２７】
Ｄ／Ａコンバータ１５０は、ＭＰＥＧデコーダ１３０からの出力信号またはＡ／Ｄコンバータ１６０からの出力信号をアナログ信号に変換する。このアナログ信号は、外部のテレビに接続可能に出力される。
【００２８】
Ａ／Ｄコンバータ１６０は、チューナ１１０から出力されたＮＴＳＣ信号（アナログ信号）をデジタル信号に変換する。
【００２９】
マイコン１７０は、セットトップボックス本体１０１全体を制御するものであって、ＭＰＥＧデコーダ１３０からの出力信号であってデジタルＴＶ放送のＡＴＳＣ信号（デジタル信号）から変換されたＮＴＳＣ信号（デジタル信号）と、Ａ／Ｄコンバータ１６０からの出力信号であってアナログＴＶ放送のＮＴＳＣ信号（アナログ信号）からデジタル変換されたＮＴＳＣ信号（デジタル信号）とが入力される。また、マイコン１７０は、リモコン送信機１８５と入力キー１９０とからのチャンネル等の指定信号を受ける。更に、マイコン１７０は、メモリ１７５との信号のやりとりを行う。また、マイコン１７０は、チャンネル等のデータを表示部１９５に出力する。
【００３０】
なお、マイコン１７０の図示しないメモリには、後述する図２および図３の動作フローに対応するプログラムと、従来からのセットトップボックス本体の一般的機能に対応するプログラムとが記憶されている。
【００３１】
メモリ１７５は、受信中のデジタルＴＶ放送の番組と同じ番組のアナログＴＶ放送のチャンネルがあったか否かを、フラグを立てるか立てないかで記憶する。したがって、メモリ１７５は説明上マイコン１７０と別体としているが、一般的にマイコン１７０に内蔵されている。
このメモリ１７５の内容は、セットトップボックス本体１０１の電源がオフされたときにメモリクリアされる。
【００３２】
リモコン受信部１８０は、リモコン送信機１８５からの信号を復調処理する。
【００３３】
入力キー１９０は、アナログＴＶ放送やデジタルＴＶ放送の選択を行うキー等を備えている。
【００３４】
表示部１９５は、選局され、受信中であるチャンネル等の表示を行う。表示部１９５では、チャンネル表示のみするのならば、例えば切り換わった後一定時間、チャンネル表示を点滅させる等して、ユーザがチャンネルが切り換わったことを認識しやすいようにするとよい。また、変更前のチャンネル表示と変更後のチャンネル表示をするようにしてもよい。
【００３５】
リモコン送信機１８５は、アナログＴＶ放送やデジタルＴＶ放送の選局のためのチャンネルキー等を備えている。
【００３６】
なお、以上のうちで、「アナログＴＶ放送を受信中に、このアナログＴＶ放送の信号と所定の範囲のデジタルＴＶ放送の信号とが同じか否かを比較判断する比較判断手段」であり、且つ「デジタルＴＶ放送を受信中に、このデジタルＴＶ放送の信号と所定の範囲のアナログＴＶ放送の信号とが同じか否かを比較判断する比較判断手段」は、マイコン１７０である。ただし、もちろん比較される信号は同種とする必要があるため、チューナ１１０と、Ａ／Ｄコンバータ＆エラー訂正回路１２０と、ＭＰＥＧデコーダ１３０と、Ａ／Ｄコンバータ１６０とが、付随して用いられる。
【００３７】
また、切り換え手段は、マイコン１７０と、セレクタ１４０とである。更に、「受信中のデジタルＴＶ放送の信号レベルが所定のレベル以下か否かを判断する受信状態判断手段」は、マイコン１７０である。また、所定の範囲は、同一メインチャンネルである。所定のレベルは、デジタルＴＶ放送を受像できるかできないかのスレッシュレベルである。
【００３８】
このように構成された本発明の実施の形態に係るＴＶ放送受信装置１００の動作を図２および図３を参照しつつ説明する。
なお、説明上、ユーザは、例えばメインチャンネルが「３」内のアナログＴＶ放送のチャンネル「３−０」と、デジタルＴＶ放送のチャンネル「３−１」、「３−２」、「３−３」のいずれかを選局する場合で説明する。
【００３９】
先ず、図２の動作フローが処理される場合を説明する。
【００４０】
ユーザが、リモコン送信機１８５または入力キー１９０（以下、「リモコン送信機１８５等」とも呼ぶ。）で例えばアナログＴＶ放送のチャンネル「３−０」を指定（選局）したとする。マイコン１７０は、チューナ１１０にアナログＴＶ放送のチャンネル「３−０」を選局させ受信中となるように指示する一方、セレクタ１４０の接点をアナログＴＶ放送の信号を通過させる側とさせる。即ち、アナログＴＶ放送のチャンネル「３−０」を受信中とすることで、後述の判別で比較対象の一方側として決まっているアナログＴＶ放送のチャンネル「３−０」の信号がマイコン１７０に常に入力可能になっている。また、セレクタ１４０の接点をアナログＴＶ放送の信号を通過させる側とさせて、リモコン送信機１８５等でのチャンネル選局後、外部に接続されたテレビで、いち早く受像できる状態にしている。
【００４１】
この後、ユーザが選局したチャンネルについて、『アナログＴＶ放送が選局されているか？』の判別を行う（Ｓ１０）。即ち、リモコン送信機１８５等によってマイコン１７０に対して指定されたチャンネルがアナログＴＶ放送のチャンネルか否かを判別する。ここでは、アナログＴＶ放送のチャンネル「３−０」が指定されているので、マイコン１７０は、チャンネル「３−０」がアナログＴＶ放送のチャンネルであるか否かを判別する。
【００４２】
チャンネル「３−０」は、アナログＴＶ放送のチャンネルであるから前記判別結果がＹＥＳになる。
【００４３】
この判別結果に基づいて、次に『同一メインチャンネル内のデジタルＴＶ放送のいずれかのチャンネルで前記アナログＴＶ放送と同じ番組を放送しているか？』の判別を行う（Ｓ２０）。
【００４４】
即ち、同一メインチャンネル「３」内のデジタルＴＶ放送のチャンネル「３−１」、「３−２」、「３−３」をそれぞれ一定時間ずつ受信すべく、マイコン１７０がチャンネル指示およびチャンネル変更指示し、マイコン１７０がＭＰＥＧデコーダ１３０からの出力信号と、Ａ／Ｄコンバータ１６０からの出力信号との差分をとって比較する。差分がないデジタルＴＶ放送のチャンネルが、アナログＴＶ放送のチャンネル「３−０」の番組と同じ番組を放送していることになる。差分がないデジタルＴＶ放送のチャンネルに出会った段階で、この判別は終了する。なお、「差分がない」とは、差分が全くない場合以外に、差分が小さくて実質的に差分がないと言える程度の場合をもちろん含む。
【００４５】
例えば、デジタルＴＶ放送のチャンネル「３−１」で、アナログＴＶ放送のチャンネル「３−０」と同じ番組を放送していた場合、デジタルＴＶ放送のチャンネル「３−１」との判別を行った段階で、差分がない状態になるので、この段階で前記判別結果がＹＥＳになる。
【００４６】
この判別結果に基づいて、次に『前記アナログＴＶ放送の番組と同じ番組のデジタルＴＶ放送のチャンネルを選局する』（Ｓ３０）処理を行って、一連の処理はＥＮＤになる。即ち、アナログＴＶ放送のチャンネル「３−０」の番組と同じ番組を放送しているデジタルＴＶ放送のチャンネル「３−１」を自動的にマイコン１７０がチューナ１１０に選局指示するとともに、マイコン１７０は、セレクタ１４０の接点をデジタルＴＶ放送のチャンネルの信号を通過させる側にさせるように指示し、表示部１９５にチャンネル「３−１」を選局している情報を出させるように指示する。
【００４７】
したがって、図２の動作フローを機能させている場合には、ユーザによってアナログＴＶ放送のチャンネル「３−０」が選局指示されても、同じ番組を放送しているデジタルＴＶ放送があれば、そのデジタルＴＶ放送のチャンネル（この場合「３−１」）が優先的に選局切り換えされて受信される。即ち、外部に接続されたテレビで、前記同じ番組を放送しているデジタルＴＶ放送が優先的に受像される。また、ユーザは、表示部１９５でデジタルＴＶ放送に切り換わったことを認識する。
【００４８】
なお、Ｓ１０およびＳ２０の判別で、各判別結果がＮＯの場合、即ち、デジタルＴＶ放送が選局されている場合や同一メインチャンネル内で受信中のアナログＴＶ放送と同じ番組を放送していない場合には、何の処理も行われずＥＮＤになる。即ち、受信中のアナログＴＶ放送のチャンネル（この場合例えば「３−０」）が受信され続ける。即ち、外部に接続されたテレビでは、アナログＴＶ放送のチャンネルが受像され続ける。
【００４９】
次に、図３の動作フローが処理される場合であって、前記図２の動作フローは処理されない場合を説明する。
【００５０】
ユーザが、リモコン送信機１８５等で例えばデジタルＴＶ放送のチャンネル「３−１」を指定（選局）したとする。マイコン１７０は、チューナ１１０にデジタルＴＶ放送のチャンネル「３−１」を選局させ受信中となるように指示する一方、セレクタ１４０の接点をデジタルＴＶ放送の信号を通過させる側とさせる。
【００５１】
この後、ユーザが選局したチャンネルについて、『デジタルＴＶ放送が選局されているか？』の判別を行う（Ｓ１００）。即ち、リモコン送信機１８５等によってマイコン１７０に対して、指定されたチャンネルがデジタルＴＶ放送のチャンネルか否かを判別する。ここでは、デジタルＴＶ放送のチャンネル「３−１」が指定されているので、マイコン１７０は、チャンネル「３−１」がデジタルＴＶ放送のチャンネルであるか否かを判別する。
【００５２】
チャンネル「３−１」は、デジタルＴＶ放送のチャンネルであるから前記判別結果がＹＥＳになる。
【００５３】
したがって、次に『同一メインチャンネル内のアナログＴＶ放送が前記デジタルＴＶ放送と同じ番組を放送しているか？』の判別を行う（Ｓ２００）。
【００５４】
即ち、同一メインチャンネル「３」内のアナログＴＶ放送のチャンネル「３−０」を一定時間受信すべく、マイコン１７０がチャンネル指示し、マイコン１７０がＭＰＥＧデコーダ１３０からの出力信号と、Ａ／Ｄコンバータ１６０からの出力信号との差分をとって比較する。差分がないとき、アナログＴＶ放送のチャンネル「３−０」で前記デジタルＴＶ放送のチャンネルの番組と同じ番組を放送していることになる。
【００５５】
例えば、アナログＴＶ放送のチャンネル「３−０」で、デジタルＴＶ放送のチャンネル「３−１」と同じ番組を放送していた場合、差分がない状態になるので、前記判別結果がＹＥＳになる。
【００５６】
この判別結果に基づいて、次に『メモリに同じ番組が放送されていることを示すフラグを立てる』（Ｓ３００）処理を行う。即ち、デジタルＴＶ放送のチャンネル「３−１」と同じ番組を放送しているアナログＴＶ放送のチャンネル「３−０」が存在する情報を、マイコン１７０がメモリ１７５にフラグを立てることで記憶させる。
【００５７】
この処理の後、『受信中のデジタルＴＶ放送のチャンネルの信号レベルが所定のレベル以下か？』の判別を行う（Ｓ４００）。即ち、マイコン１７０は、ＭＰＥＧデコーダ１３０からの出力信号が、「０」「１」信号が判別可能か否かのスレッシュレベル以下（つまり、受像できるかできないかのスレッシュレベル以下）になっているか否か、常時または一定時間ごとに判別する。
【００５８】
この判別結果がＹＥＳ、即ち、受信中だったデジタルＴＶ放送が受像できなくなったときには、『フラグが立っているか？』の判別を行う（Ｓ５００）。即ち、マイコン１７０は、メモリ１７５にフラグが立っているか否かをメモリ内容を読み出して確認する。
【００５９】
この判別結果がＹＥＳ、即ち、フラグが立っている場合には、この判別結果に基づいて、次に『前記アナログＴＶ放送を選局する』（Ｓ６００）処理を行って一連の処理がＥＮＤになる。即ち、マイコン１７０は、チューナ１１０に、アナログＴＶ放送のチャンネル「３−０」を選局させ受信中となるように指示する一方、セレクタ１４０の接点をアナログＴＶ放送の信号を通過させる側にさせる。またマイコン１７０は、表示部１９５にチャンネル「３−０」を選局している情報を出させるように指示する。
【００６０】
したがって、図３の動作フローを機能させている場合には、ユーザがデジタルＴＶ放送のチャンネル「３−１」を例えば受信して、外部に接続されたテレビで視聴していたときに、チャンネル「３−１」の受信レベルが受像できないレベル以下になっても、同じ番組をしているアナログＴＶ放送があれば優先的に自動的に切り換えて受信してくれるので、映像が殆ど途切れることなく、ユーザは視聴し続けられる。また、ユーザは、表示部１９５でアナログＴＶ放送に切り換わったことを認識する。
【００６１】
なお、Ｓ１００およびＳ２００の判別で、各判別結果がＮＯの場合は処理がＳ３００の後に飛ぶ。また、Ｓ５００の判別で、判別結果がＮＯの場合は、処理はＥＮＤになり、同じ番組が同じ時間帯になかったため、従来同様に受信していたデジタルＴＶ放送は受像できなくなってしまうか途切れ途切れにしか視聴できない状態になるだけである。
【００６２】
以上、図２の動作フローと図３の動作フローとが別々に機能するように説明したが、もちろん例えば図２の動作フローに引き続き図３の動作フローが行われるようにしてもよい。ユーザがアナログＴＶ放送を指定後に優先的に同じ番組を放送しているデジタルＴＶ放送のチャンネルに自動的に切り換わっても、その後、そのデジタルＴＶ放送の受信状態が悪くなれば前記アナログＴＶ放送に戻す方が好ましいからである。更に、図３の動作フローのＥＮＤ後に図２の動作フローのＳＴＡＲＴに戻るように図２の動作フローと図３の動作フローとをループ化してもよい。デジタルＴＶ放送の受信レベルがある程度回復すれば、アナログＴＶ放送からデジタルＴＶ放送へ切り換え直す方が好ましいからである。
【００６３】
なお、本発明の実施の形態に係るＴＶ放送受信装置１００における構成等は例えば次のように変更してもよい。
【００６４】
（１）図３の動作フローでは、Ｓ１００およびＳ２００の判別がＮＯの場合、Ｓ３００の処理の後に飛ばすとしたが、Ｓ６００の処理の後に飛ばしてもよい。
【００６５】
（２）一般的に別のメインチャンネルで同じ時間帯に同じ番組を放送している可能性が低いため、前記所定の範囲としては、同一メインチャンネルとするのが、判別範囲も少なくてすむので好ましいが、別のメインチャンネルも含めてもよい。その場合、フラグは、各チャンネルごとに割り当てられたメモリアドレスに立てられるようにして、どのチャンネルに同じ番組が放送されているかがわかるようにするとよい。
【００６６】
（３）マイコン１７０での処理が集中し過ぎるようであれば、サブマイコンに分担処理させて、必要により、サブマイコンとマイコン１７０との間でデータのやりとりを行うようにしてもよい。また、マイコン１７０のように、必ずしもマイコンでなくてもよく、同様の機能をゲートアレイ等で構成してももちろんよい。
【００６７】
（４）図２の動作フローのＳ２０の判別は、チャンネル選局時点で行うのが好ましいが、チャンネル選局後しばらく時間経過した後でもよい。
【００６８】
また、それ以外にその後、Ｓ２０の処理の判別結果がＮＯであってもＳ２０の処理の頭に何回か戻すようにしてもよい。
【００６９】
例えばチャンネル選局時点だけだと、そのときＣＭをやっていた場合に、アナログＴＶ放送のＣＭとデジタルＴＶ放送のＣＭは通常同じ可能性が非常に高いものの、異なる可能性がなくはないため、万一異なればうまく機能しないことになるからである。そのため、念の為、ＣＭをやっていないだろう時点でも比較するようにした方がよいからである。
【００７０】
ＣＭは長時間連続するものではないから、前記時々とは、例えば、最も長く続くおそれのあるＣＭ時間毎またはそれよりも少し長い時間毎とすればよい。また、最も短いＣＭ時間毎としてもよいし、最も短いＣＭ時間の半分の時間毎等や常時でもよい。なお、前記時々または常時とするのは、長時間連続して同じチャンネルにしていると、番組が次の番組になるが、その時点でも、判別した方がよいからでもある。前記時々は、一定時間ごととする代わりに、ビデオでＣＭを録画しない機能での手段を用いて、番組（ただしＣＭ除く）とＣＭとの切り換わり時点ごとにしてもよい。
【００７１】
（５）ＣＭが複数のチャンネルで同じ場合があるという非常に稀なことも考慮する場合には、次のようにすればよい。
【００７２】
例えば図２の動作フローで、Ｓ２０の処理を行う場合、同じ番組（この場合同じＣＭ）が放送されている例えば同一メインチャンネル内の最初のデジタルＴＶ放送のチャンネルだけを判別してＳ３０の処理へ移るのではなく、同一メインチャンネル内の全てのデジタルＴＶ放送のチャンネルにおいて比較する。また、各デジタルＴＶ放送のチャンネルごとにフラグを立てられるメモリアドレスを有するメモリを備えておく。
【００７３】
同一メインチャンネル内の全てのデジタルＴＶ放送のチャンネルにおいて比較した結果、複数のフラグが立ったときには、同じＣＭが放送されていると判別すればよい。１つのフラグのみが立った場合には、そのフラグのメモリアドレスに対応したチャンネルが、アナログＴＶ放送の番組と同じ番組を放送していることになる。なお、複数のフラグが立ったときには、再度、比較を繰り返し、フラグが１つだけになるのを待って、Ｓ３０の処理へ移ればよい。
【００７４】
（６）車載タイプや携帯タイプ等のテレビでは、選局後もアナログＴＶ放送が受信し続けられるとは限らないため、一定期間ごとにまたは常にアナログＴＶ放送の受信レベルを確認するようにしてもよい。ただし、固定して用いられる装置の場合であっても、一定期間ごとにまたは常にアナログＴＶ放送の受信レベルを確認するようにしてもよい。
【００７５】
（７）以上、アナログＴＶ放送がＮＴＳＣ方式である場合を代表にして説明したが、これ以外のＰＡＬ方式等でも同様にすればよいことは言うまでもない。
【００７６】
（８）上述したセットトップボックスに限らず、テレビ等のＴＶ放送受信装置、ビデオ録再装置等も組み込んだ複合装置、ＴＶチューナを内蔵しているビデオ録再装置単体、ＴＶチューナを内蔵しているパソコン等にも上述に準じたものが適用できることは言うまでもない。
【００７７】
【発明の効果】
以上説明したように、本発明の請求項１に係るＴＶ放送受信装置は、デジタルＴＶ放送とアナログＴＶ放送とを受信可能なＴＶ放送受信装置であって、アナログＴＶ放送を受信中に、このアナログＴＶ放送の信号をデジタル変換した信号と同一メインチャンネルのデジタルＴＶ放送の信号との差分をとって比較し前記アナログＴＶ放送と前記デジタルＴＶ放送とが同一の番組を放送しているか否かを判断する比較判断手段と、この比較判断手段によって同一の番組を放送していると判断されたときに、前記アナログＴＶ放送の信号を、番組が同一と判断されたデジタルＴＶ放送の信号に切り換える切り換え手段とを備える。
【００７８】
よって、本発明の請求項１に係るＴＶ放送受信装置の場合には、デジタルＴＶ放送とアナログＴＶ放送とで同じ時間に同じ番組を放送している場合に、ユーザがアナログＴＶ放送を受信するように選択しても、同じ番組のデジタルＴＶ放送を探し出して優先的に自動的に受信切り換えするものになっている。したがって、例えば、ユーザが同じ時間に同じ番組を放送していることを知らないで、アナログＴＶ放送を選局したとしても、デジタルＴＶ放送における同じ番組に自動的に優先的に切り換わるので、ユーザは、表示品位の高い視聴が手間いらずで可能である。また、前記同一メインチャンネルは範囲が狭いので、処理時間が短くてすむ。
【００７９】
本発明の請求項２に係るＴＶ放送受信装置は、デジタルＴＶ放送とアナログＴＶ放送とを受信可能なＴＶ放送受信装置であって、デジタルＴＶ放送を受信中に、このデジタルＴＶ放送の信号と同一メインチャンネルのアナログＴＶ放送の信号をデジタル変換した信号との差分をとって比較し前記アナログＴＶ放送と前記デジタルＴＶ放送とが同一の番組を放送しているか否かを判断する比較判断手段と、受信中のデジタルＴＶ放送の信号レベルが所定のレベル以下か否かを判断する受信状態判断手段と、この受信状態判断手段で前記所定のレベル以下と判断されたときに、前記デジタルＴＶ放送の信号を、番組が同一と判断されたアナログＴＶ放送の信号に切り換える切り換え手段とを備える。
【００８０】
よって、本発明の請求項２に係るＴＶ放送受信装置の場合には、デジタルＴＶ放送とアナログＴＶ放送とで同じ時間に同じ番組を放送している場合に、デジタルＴＶ放送を受信中に、そのデジタルＴＶ放送の受信状態が受像できなくなるほど悪くなると、事前に探し出した同じ番組のアナログＴＶ放送に優先的に自動的に受信切り換えするものになっている。したがって、デジタルＴＶ放送の受信状態が受像できなくなるほど悪くなった段階で、ユーザが、同じ番組を放送しているアナログＴＶ放送がないかを番組表であわてて探すというようなことは起きない。手間いらずである。また、デジタルＴＶ放送の受信状態が受像できなくなるほど悪くなった段階で、ユーザが、同じ番組を放送しているアナログＴＶ放送があるのを知らない場合、従来は視聴し損なっていたが、前記アナログＴＶ放送が受信できる限り番組を視聴し続けられる。更に、瞬時に前記アナログＴＶ放送に切り換え可能であるので、アナログＴＶ放送が受信できる限り番組を視聴し続けられる。また、前記同一メインチャンネルは範囲が狭いので、処理時間が短くてすむ。
【００８１】
本発明の請求項３に係るＴＶ放送受信装置は、前記所定のレベルは、デジタルＴＶ放送を受像できるかできないかのスレッシュレベルに設定されている。
【００８２】
よって、本発明の請求項３に係るＴＶ放送受信装置の場合には、受信していたデジタルＴＶ放送が受像できないレベルになるやいなや、事前に探し出した同じ番組のアナログＴＶ放送に優先的に自動的に受信切り換え可能なものになっている。したがって、殆ど途切れることなくユーザは番組を視聴し続けられる。
【００８５】
本発明の請求項４乃至請求項６に係るＴＶ放送受信方法は、それぞれ本発明の請求項１乃至請求項３とに係るＴＶ放送受信装置と同様の効果を有する。
【図面の簡単な説明】
【図１】本発明の実施の形態に係るＴＶ放送受信装置を示す概略的ブロック図である。
【図２】本発明の実施の形態に係るＴＶ放送受信装置の概略的動作フローを示す図である。
【図３】本発明の実施の形態に係るＴＶ放送受信装置の別の概略的動作フローを示す図である。
【符号の説明】
１００  ＴＶ放送受信装置
１１０  チューナ（比較判断手段の一部）
１２０  Ａ／Ｄコンバータ＆エラー訂正回路（比較判断手段の一部）
１３０  ＭＰＥＧデコーダ（比較判断手段の一部）
１４０  セレクタ（切り換え手段の一部）
１５０  Ｄ／Ａコンバータ
１６０  Ａ／Ｄコンバータ（比較判断手段の一部）
１７０  マイコン（比較判断手段の主要部、受信状態判断手段、切り換え手段の一部）
１７５  メモリ
１８０  リモコン受信部
１８５  リモコン送信機
１９０  入力キー
１９５  表示部
【図１】
0003587245.tif 000002
【図２】
0003587245.tif 000003
【図３】
0003587245.tif 000004